(57)【要約】【課題】電気自動車の新たな電力の有効利用方法を提案する。【解決手段】電力マネジメント装置１００は、電力系統に接続される施設に設けられ、発電装置４１０と蓄電装置４２０とを備えた移動体と接続する電力マネジメント装置１００であって、発電装置４１０の発電電力を移動体の外部に優先して供給する第１のモードと、発電装置４１０の発電電力が蓄電装置４２０に優先して充電される第２のモードとのいずれかのモードを選択するための指示を受け付ける受信部１２３と、受信部１２３が受信した、指示に応じて、発電装置４１０の発電電力の供給先を変更する制御部１１０とを備えることを特徴としている。【選択図】図１
2015216836.tif 000002
【特許請求の範囲】
【請求項１】
電力系統に接続される施設に設けられ、発電装置と蓄電装置とを備えた移動体と接続する電力マネジメント装置であって、
前記発電装置の発電電力を前記移動体の外部に優先して供給する第１のモードと、前記発電装置の発電電力が前記蓄電装置に優先して充電される第２のモードとのいずれかのモードを選択するための指示を受け付ける第１受信部と、
前記第１受信部が受信した、前記指示に応じて、前記発電装置の発電電力の供給先を変更する制御部とを備える電力マネジメント装置。
【請求項２】
前記電力マネジメント装置は、更に、
前記移動体との接続を検知する検知部と、
前記検知部が前記移動体の接続を検知すると、前記第１のモードと前記第２のモードとのいずれかのモードを選択するための指示を受け付ける画面を外部機器の表示器に表示させる表示制御部と、
前記移動体に搭載された前記発電装置の発電電力の供給先を制御する発電制御部と通信する通信部とを備え、
前記制御部は、前記外部機器を介して選択された前記モードに基づき、前記発電電力の供給先の指示を、前記通信部を介して前記発電制御部に送信する請求項１記載の電力マネジメント装置。
【請求項３】
前記移動体の前記蓄電装置の蓄電量を取得する第１取得部を備え、
前記制御部は、前記第２のモードが選択されている前記移動体について、前記第１取得部が取得した前記蓄電装置の蓄電量が所定の閾値以上であると、前記発電装置の発電電力の供給先を、前記施設及び電力系統の少なくとも一方に変更する請求項２記載の電力マネジメント装置。
【請求項４】
前記電力マネジメント装置は、更に、
前記施設が使用している電力量を検出する検出部を備え、
前記制御部は、前記第２のモードが選択されている前記移動体について、前記検出部により検出された電力量が、前記施設の契約電力量よりも小さい閾値以上であると、前記発電装置の発電電力の供給先を前記施設に変更する請求項２記載の電力マネジメント装置。
【請求項５】
前記電力マネジメント装置は、更に、
前記検出部により検出された電力量が、前記閾値以上であるとき前記発電装置の発電電力の前記施設への供給を許可するか否か、の指示を受け付ける第２受信部を備え、
前記制御部は、前記第２受信部より前記許可の指示を受け付けている場合にのみ、前記第２のモードが選択された前記移動体について、前記検出部により検出された電力量が前記閾値以上であるとき、前記発電装置の発電電力の供給先を前記施設に変更する請求項４記載の電力マネジメント装置。
【請求項６】
前記電力マネジメント装置は、更に、
前記電力マネジメント装置に接続されている前記移動体の前記蓄電装置の蓄電量を取得する第１取得部を備え、
前記制御部は、複数の前記移動体が前記電力マネジメント装置に接続されているとき、前記複数の移動体のうち、前記第１取得部より取得した前記蓄電装置の蓄電量が多い前記移動体について、前記蓄電装置の蓄電量が少ない移動体よりも優先的に、前記発電装置の発電電力の供給先を前記施設に変更する請求項４記載の電力マネジメント装置。
【請求項７】
前記制御部は、前記検出部により検出された電力量が前記閾値以上であるとき、前記第２のモードが選択されている移動体について、前記電力系統から前記蓄電装置に充電された充電量の範囲内で前記蓄電装置を放電させ、当該放電電力を前記施設に供給する請求項４記載の電力マネジメント装置。
【請求項８】
前記電力マネジメント装置は、更に、
前記発電装置の発電電力が前記施設に供給されると、前記移動体の所有者に対してインセンティブを支払う支払部を備える請求項１記載の電力マネジメント装置。
【請求項９】
前記電力マネジメント装置は、更に、
前記移動体の所有者に対してインセンティブを支払う際の決済方法の指定を受け付ける受付部を備え、
前記支払部は、前記受付部で受け付けた決済方法でインセンティブを支払う請求項８記載の電力マネジメント装置。
【請求項１０】
前記電力マネジメント装置は、更に、
前記移動体の所有者の位置を取得する第２取得部を備え、
前記制御部は、前記第２取得部が取得した所有者の位置に基づき、前記施設の範囲内にいる当該所有者の移動体の発電装置からの発電電力よりも、前記施設の範囲外にいる当該所有者の移動体の発電装置からの発電電力を優先的に前記施設に供給する請求項１記載の電力マネジメント装置。
【請求項１１】
前記電力マネジメント装置は、更に、
前記移動体の所有者の位置を取得する第２取得部を備え、
前記支払部は、前記第２取得部が取得した所有者の位置が前記施設の範囲外であるとき、前記第２取得部が取得した所有者の位置が前記施設の範囲内であるときよりも、前記インセンティブを減少させる請求項８記載の電力マネジメント装置。
【請求項１２】
前記第１受信部は、前記移動体の所有者により、前記外部機器を介して入力された前記移動体の前記蓄電装置の充電と放電の比率を受け付け、前記制御部は、放電の比率が高い場合に前記第１のモードであると判断し、充電の比率が高い場合に前記第２のモードであると判断する請求項２記載の電力マネジメント装置。
【請求項１３】
前記発電装置は、太陽光発電を利用した太陽光発電システムである請求項１記載の電力マネジメント装置。
【請求項１４】
前記発電装置は、燃料電池であり、
前記電力マネジメント装置に接続される前記施設から水素を含む燃料の供給を受けて発電する請求項１記載の電力マネジメント装置。
【請求項１５】
前記電力マネジメント装置は、更に、
前記電力系統の電力を前記蓄電装置に供給する第１給電部を備える請求項１記載の電力マネジメント装置。
【請求項１６】
電力系統と接続される施設に設けられ、発電装置と蓄電装置とを備えた移動体と接続する電力マネジメント装置による移動体の制御方法であって、
前記発電装置の発電電力を優先して前記移動体の外部に供給する第１のモードと、前記発電装置の発電電力が前記蓄電装置に優先して充電される第２のモードとのいずれかのモードを選択するための指示を受け付けるステップと、
前記指示に応じて、前記発電装置の発電電力の供給先を変更するステップとを含む制御方法。
【請求項１７】
発電装置と蓄電装置とを備えた移動体であって、
電力系統と接続される施設と前記発電装置とを電気的に接続し、前記発電装置の発電電力を前記施設に供給可能にする接続部と、
前記発電装置の発電電力を前記施設に供給する第２給電部と、
前記発電装置の発電電力を前記蓄電装置に充電する充電部と、
前記施設からの指示に応じて、前記発電装置の発電電力の供給先を切り替える切替部とを備える移動体。
【発明の詳細な説明】
【技術分野】
【０００１】
本開示は、移動体の電力を用いて、施設の電力制御を行う電力マネジメント装置に関する。
【背景技術】
【０００２】
近年、電気自動車、ハイブリッドカーなど、電力駆動の自動車の利用が増加しており、これを利用したサービスが考えられている。例えば、夜中に電気自動車を充電しておき、昼間に使用しない場合に電気自動車の電力を家庭の家電機器に供給して電気料金を抑制するサービスなどがある。
電気自動車の利用手法として、特許文献１に示すように、電気自動車に蓄電されている電力を系統電力に供給することが記載されている。
【先行技術文献】
【特許文献】
【０００３】
【特許文献１】特開２００９−１８３０８６号公報
【発明の概要】
【発明が解決しようとする課題】
【０００４】
ところで、このような電気自動車を用いて、更なる電力の有効利用、または利便性の向上が試みられている。
上記事情を鑑み、限定的ではない例示的なある実施形態は、電気自動車を利用した新たな電力の有効利用方法を実施する電力マネジメント装置を提供する。
【課題を解決するための手段】
【０００５】
上記課題を解決するため、本開示に係る電力マネジメント装置は、電力系統に接続される施設に設けられ、発電装置と蓄電装置とを備えた移動体と接続する電力マネジメント装置であって、前記発電装置の発電電力を移動体の外部に優先して供給する第１のモードと、前記発電装置の発電電力が前記蓄電装置に優先して充電される第２のモードとのいずれかのモードを選択するための指示を受け付ける第１受信部と、前記第１受信部が受信した、前記指示に応じて、前記発電装置の発電電力の供給先を変更する制御部とを備えることを特徴としている。
【発明の効果】
【０００６】
上述のような構成によって、発電装置を備える移動体の発電電力を施設側で用いることができるので、施設運用の利便性が高まる。
【図面の簡単な説明】
【０００７】
【図１】システム構成図
【図２】電力マネジメント装置の外観図
【図３】電力マネジメント装置の機能構成を示すブロック図
【図４】移動体の機能構成を示すブロック図
【図５】（ａ）は負荷平準化前の電力使用量の推移例、（ｂ）は負荷平準化後の電力使用量の推移例
【図６】管理テーブルのデータ概念図
【図７】電力マネジメント装置の動作を示すフローチャート
【図８】移動体の動作を示すフローチャート
【図９】電力マネジメント装置によるインセンティブ計算動作を示すフローチャート
【図１０】インターフェース画面例
【図１１】インターフェース画面例
【図１２】インターフェース画面例
【図１３】インターフェース画面例
【図１４】インターフェース画面例
【発明を実施するための形態】
【０００８】
＜実施の形態１＞
＜構成＞
図１は、電力マネジメント装置１００を含む電力マネジメントシステムの構成例である。
図１に示すように、電力マネジメントシステムは、電力マネジメント装置１００と施設２００と充放電装置３００とを含み、充放電装置３００のコネクタは、着脱自在に移動体４００に接続される。
【０００９】
図１では、電力マネジメント装置１００は、施設２００と各充放電装置３００に接続されている。電力マネジメント装置１００は、各充放電装置３００を制御するとともに、充放電装置３００を介して移動体４００への電力の供給、移動体４００からの電力の受電を制御する。
施設２００は、電力を消費する施設であり、一例として、遊園地などのアミューズメントパーク、またはショッピングモールなどの商業施設などである。
【００１０】
充放電装置３００は、移動体４００に着脱自在に接続され、移動体４００に施設２００から電力系統の電力を供給して充電させ、移動体４００の発電装置（ＰＶ（PhotoVoltaics）、または燃料電池など）により発電された電力を施設２００の各施設機器に供給する。
移動体４００は、ＥＶ（Electronic Vehicle）、ＰＨＶ（Plug-in Hybrid Vehicle）などと呼称される所謂、電気自動車あるいはハイブリッドカーなどの電力駆動可能な車両である。詳細は、後述するが、移動体４００は、図４に示すように電力を発電する発電装置４１０、電力を蓄える蓄電装置４２０、電力の供給制御を実行する電力切替部４３０を備える。
【００１１】
図１に示すように、本実施の形態においては、施設２００を利用する利用者が、施設２００に敷設されている駐車場に使用している電気自動車を駐車し、施設２００、またはその近隣施設を利用するような使用形態を想定している。
図２は、充放電装置３００の外観図である。
充放電装置３００は、カードを挿入してその情報を読み取るためのカードスロット３１０と、情報を表示する表示画面３２０と、移動体４００に接続するためのコネクタ（プラグともいう）３３０とを備える。図１にも示すように、充放電装置３００は、移動体４００の各駐車スペースに個別に設けられる。なお、充放電装置３００は、複数のコネクタ３３０を備えてもよく、その場合、複数の駐車スペースに対して１台の充放電装置３００が設けられる構成としてもよい。
【００１２】
表示画面３２０は、所謂タッチパネルであり、接続された移動体４００の所有者に、情報を提供する機能と、所有者からの入力を受け付ける機能とを有する。表示する情報は、電力マネジメント装置１００から通知される。また、所有者からの入力内容は、電力マネジメント装置１００に伝達される。
カードスロット３１０は、施設２００を利用するユーザの会員を示すカードであって、施設２００で利用するポイントカード、キャッシュカード、またはクレジットカードなどを挿入するスロットであり、挿入されたカードの情報を読み取る。読み取った情報（カードの所有者を示す識別情報、または施設利用ポイント数など）は、電力マネジメント装置１００に伝達され、電力マネジメント装置１００は、その情報をインセンティブの付加に利用する。
【００１３】
コネクタ３３０は、充放電装置３００と移動体４００とを接続し、電力の送受電に用いられる。送電時には、移動体４００の発電装置４１０から施設２００に発電電力が送電される。受電時には、電力系統３５０からの電力を受電して、移動体４００の発電装置４１０に充電される。このとき、電力マネジメント装置１００と充放電装置３００とは電力の送電及び受電の少なくとも１つに用いられる電線で接続されていてもよい。
図３は、電力マネジメント装置１００の機能構成例を示すブロック図である。
電力マネジメント装置１００は、制御部１１０と、インターフェース部１２０と、記憶部１３０と、清算部１４０と、通信部１５０とを含んで構成される。
【００１４】
制御部１１０は、電力マネジメント装置１００の各部を制御する機能を有するプロセッサと、プロセッサを介して制御を実行させる制御プログラムを保持する記憶部１３０とを備える。プロセッサは、ＭＰＵ、ＣＰＵが例示される。記憶部としては、メモリが例示される。制御部１１０は、集中制御を行う単独の制御器で構成されていてもよく、互いに協働して分散制御を行う複数の制御器で構成されていてもよい。
制御部１１０は、インターフェース部１２０から、移動体４００の接続検知情報を受け取ると、その充放電装置３００に対応する情報が記憶部１３０の管理テーブル６００に記録されているか否かを検出し、記録されている場合にその対応する情報を削除する。そして、記憶部１３０の管理テーブル６００において、その充放電装置３００の識別情報に、充放電装置３００に新たに接続された移動体４００またはその所有者の識別情報を対応付けた情報を管理テーブル６００に記録する。
【００１５】
また、制御部１１０は、接続検知情報を受け取ると、移動体４００が接続された充放電装置３００に対して、モードの指定、または決済方法の指定を受け付けるためのインターフェース画面の情報をインターフェース部１２０に指示する。
さらに、制御部１１０は、受信部１２３から受信したモードの情報を、そのモード情報を送信してきた充放電装置３００の識別情報に対応する箇所に対応付けて管理テーブル６００に記録する。
【００１６】
また、制御部１１０は、受信したモード情報に従って、充放電装置３００に接続されている移動体４００の発電装置４１０の発電電力および蓄電装置４２０の蓄電電力の供給先を制御指示する機能を有する。特に制御部１１０は、電力使用量監視部２２０から通知される電力使用量を受け取って、記憶部１３０に記憶されている施設２００の契約電力量を超えそうか否かを判定する。なお、本判定は、換言すれば、電力使用量が契約電力量を超える恐れがあるか否かの判定であるとも言えるし、電力使用量が契約電力量を超えるか否かの予測であるとも言える。そして、電力使用量が、契約電力量を超えそうな場合に、インターフェース部１２０に移動体４００の電力切替部４３０による発電装置４１０の発電電力の供給先が施設２００側になるように指示する機能を備える。なお、制御部１１０は、電力使用量が契約電力量を超えそうか否かの判断は、契約電力量よりも小さい閾値以上であるか否かで判断する。当該閾値は、記憶部１３０に記憶されている。また、初期接続時には、電力マネジメント装置１００は、いずれのモードであっても、移動体４００の電力切替部４３０に、発電装置４１０の発電電力の供給先を蓄電装置４２０に設定するように指示する。
【００１７】
また、制御部１１０は、接続が解除されたことを示す通知を受け付けた場合に、清算部１４０に対して接続が解除された移動体４００の所有者の決済手段に対するインセンティブの計算および付加を実行するように指示する。
インターフェース部１２０は、各充放電装置３００と有線または無線で接続され、制御部１１０の指示にしたがって、各充放電装置３００と通信を実行する機能を有する。
【００１８】
インターフェース部１２０は、制御部１１０からの指示に従って、充放電装置３００および充放電装置３００を介して移動体４００に、制御コマンドを送信するととともに、充放電装置３００から接続されている移動体４００に関する情報を受け取って、制御部１１０に通知する機能を有する。
インターフェース部１２０は、検知部１２１と、切替指示部１２２と、受信部１２３と、表示制御部１２４とを含んで構成される。
【００１９】
検知部１２１は、移動体４００が充放電装置３００に接続された場合に、充放電装置３００から移動体４００が接続されたことを示す情報を受け取って、移動体４００の接続を検知する。このとき、検知部１２１は、制御部１１０に対して、移動体４００が接続されたことを、接続された充放電装置３００の識別情報と移動体４００（または移動体４００の所有者の識別情報）とに対応付けて通知する。
【００２０】
また、検知部１２１は、移動体４００が充放電装置３００から切り離された場合に、充放電装置３００から移動体４００の接続が解除されたことを示す情報を受け取って、移動体４００との接続の切断を検知する。このとき、検知部１２１は、制御部１１０に対して、移動体４００の接続が解除されたことを、接続されていた充放電装置３００の識別情報と対応付けて通知する。
【００２１】
切替指示部１２２は、制御部１１０からの指示に従って、充放電装置３００を介して、接続されている移動体４００に、その移動体４００の電力切替部４３０に対して、発電装置４１０の発電電力の供給先を切り替える指示を出力する。
受信部１２３は、充放電装置３００から、または、通信部１５０から、充放電装置３００に接続されている移動体４００について、充放電に係るモードの情報を受け取り、制御部１１０に通知する機能を有する。充放電に係るモードの情報とは、移動体４００の発電装置４１０の発電電力を移動体の外部に優先的に供給する第１のモードと、発電装置４１０の発電電力または施設２００に供給されている電力系統からの電力を優先的に移動体４００の蓄電装置４２０に充電する第２のモードとがある。ここで、移動体の外部とは、移動体の外部の電力需要体である。電力需要体は、例えば、施設２００（より具体的には、施設機器２１０）及び電力系統の少なくともいずれか一方である。施設機器２１０は、施設２００に設けられた電気機器である。
【００２２】
ここで、第１のモードと第２のモードとについて説明する。それぞれのモードは、第１の蓄電量と、第１の蓄電量よりも大きい第２の蓄電量とが設定されている。
第１の蓄電量は、そのモードにおいて、蓄電装置４２０の蓄電量に対する閾値であって、蓄電量がその閾値よりも小さい場合には、移動体４００から施設２００に対して電力を供給できない電力量を示す。第１の蓄電量は、例えば、移動体４００の下限蓄電量以上の値が設定されてもよい。下限蓄電量は、移動体４００が目的地にまで到達するために必要な蓄電装置４２０の蓄電量の下限値のことであり、移動体４００の蓄電装置４２０の蓄電量がこれを下回っている場合には、目的地にたどり着けない。
下限蓄電量は、移動体４００ごとにそれぞれの目的地までの距離に応じて定まるため、移動体４００によって異なる。ここでは、下限蓄電量は、各移動体４００がそれぞれのカーナビゲーションシステム等に登録される目的地までの距離と、移動体４００の単位時間当たりの電力消費量によって算出され、移動体４００に記録されていることとする。
【００２３】
第２の蓄電量は、そのモードにおいて、蓄電装置４２０の蓄電量に対する閾値であって、蓄電量がその閾値以上である場合には、移動体４００から施設２００または電力系統に対して電力を供給してもよい電力量を示す。
第２のモードの第１の蓄電量と第２の蓄電量は、第１のモードの第１の蓄電量と第２の蓄電量よりも高く設定される。これにより、第２のモードを選択すれば第１のモードよりも蓄電装置４２０に電力が蓄積されやすくなる。第１の蓄電量及び第２の蓄電量の値は、蓄電装置の満充電時の電力量に対する割合で設定されていてもよいし、固定の電力量の値であってもよい。本実施の形態では、一例として、第２のモードの第１の蓄電量を満充電時の６０％、第２の蓄電量を満充電時の８０％とし、第１のモードの第１の蓄電量を満充電時の５０％、第２の蓄電量を満充電時の６５％とする。つまり、この場合、例えば第２のモードに設定された場合には、移動体４００の蓄電装置４２０の蓄電量が８０％以上になると、施設２００への供給が実行可能となり、６０％より小さくなると供給できなくなることを意味する。
【００２４】
表示制御部１２４は、制御部１１０からの指示に従って、充放電装置３００の表示画面３２０に表示すべきインターフェース画面の情報を充放電装置３００に送信する機能を有する。また、表示制御部１２４は、通信部１５０に対して、移動体４００の所有者の携帯端末にインターフェース画面の情報を送信して表示するよう指示する機能も有する。表示制御部１２４は、インターフェース画面として、移動体４００の所有者に対して、第２のモードか第１のモードのいずれのモードを適用するかを問うもの、第２のモードを選択した場合に移動体４００から施設２００への電力の供給を許可するか否かを問うもの、移動体４００から施設２００に電力を供給した場合に施設２００が支払うインセンティブの支払い方法（決済方法）を問うものがある。
【００２５】
記憶部１３０は、電力マネジメント装置１００が動作上必要とするプログラムまたはデータを記憶するメモリである。記憶部１３０は、制御部１１０が各充放電装置３００に接続されている移動体４００を制御するために参照する管理テーブル６００を保持している。管理テーブル６００の詳細については後述する。
清算部１４０は、制御部１１０からの指示に従って、各移動体４００について、移動体から電力の供給を受けた場合に、各移動体の所有者の決済方法に応じて、そのインセンティブの計算を行い、その決済手段に付加する機能を有する。
【００２６】
通信部１５０は、無線あるいは有線により、外部の装置と通信を実行する機能を有する。ここでは、特に、移動体の所有者のスマートフォン等の携帯端末と通信を実行する機能、またはインセンティブ支払において金銭を用いる場合に移動体の所有者の口座に金銭を振り込むための通信機能を有する。また、インセンティブ支払においてポイントを用いる場合には、通信部１５０は、移動体の所有者のポイント管理システムにポイントを付加するための通信機能を有してもよい。なお、ポイント管理システムはここには図示していないが、各所有者に対して、これまでに蓄積され、かつ、未使用のポイントが対応付けられた情報を保持している。
【００２７】
電力マネジメント装置１００の制御部１１０による電力のピークカットについて図５を用いて説明する。
図５は、電力平準化による電力のピークカットについてのイメージ図であり、図５（ａ）は、電力平準化前の電力使用量の推移を示すグラフであり、図５（ｂ）は、電力平準化後の電力使用量の推移を示すグラフである。
【００２８】
施設２００で使用している電力量の推移が図５（ａ）に示すようなものであったとする。施設２００が高圧一括受電方式で電力系統から電力の供給を受けている場合には、年間または月間の電力使用量におけるピーク使用量が翌年または翌日の電力料金に影響することになる。そのため、図５（ａ）に示すように、契約電力量を超えてピーク（図５（ａ）ピーク部）が発生しないようにすることが望ましい。
【００２９】
そこで、実施の形態１に係る電力マネジメントシステムにおいては、電力マネジメント装置１００が移動体の発電装置４１０による発電電力を施設２００に供給し、図５（ｂ）に示すようにピーク電力が、契約電力量を超える可能性を低減することができる。
なお、契約電力閾値は、図５に示す契約電力量よりも低い値に設定される。
図４は、移動体４００の機能構成例を示すブロック図である。
【００３０】
図４に示すように、移動体４００は、発電装置４１０と、蓄電装置４２０と、電力切替部４３０と、接続端子４４０とを備える。
発電装置４１０は、電力を発電し、発電した電力を電力切替部４３０に出力する機能を有する。発電装置４１０は、電力を発電できるものであればよく、太陽光発電システム、あるいは、水素、またはバイオマスなどを利用する燃料電池などであってもよい。なお、発電装置４１０が、燃料電池であるとき、移動体が備える燃料容器からの燃料を用いて発電してもよいし、施設２００から供給される燃料を用いて発電してもよい。ここで、燃料は、水素含有ガスである。
【００３１】
蓄電装置４２０は、電力切替部４３０を介して発電装置４１０から供給される電力を電池セル（図示せず）に蓄電し、電力切替部４３０からの指示に従って放電する機能を有する、所謂バッテリーである。
電力切替部４３０は、発電装置４１０により発電された電力を蓄電装置４２０に供給するか、施設２００側に供給するかを切り替える機能を有する。また、電力切替部４３０は、電力系統から供給された電力を蓄電装置４２０に供給して充電する機能も有する。このとき、電力マネジメント装置１００の第１給電部（図示せず）を介して電力系統からの電力が蓄電装置４２０に供給されてもよい。また、移動体４００が備える検知部（図示せず）により蓄電装置４２０の蓄電量を検出し、逐次、接続端子４４０を介して接続されている充放電装置３００に伝達される。また、検出された蓄電装置４２０の蓄電量は、受信部１２３を介して電力マネジメント装置１００に伝達される。ここで、受信部１２３は、本開示の第１取得部の一例である。
【００３２】
接続端子４４０は、充放電装置３００のコネクタ３３０、または家屋の接続端子を接続して電力のやり取りを行う。接続端子４４０は、本開示の第２給電部の一例である。
＜データ＞
図６は、管理テーブル６００のデータ構成を示す概念図である。
図６に示すように、管理テーブル６００は、充放電装置３００の充放電装置ＩＤ６０１に接続されている移動体４００の移動体ＩＤ６０２と、移動体４００の所有者に登録されている場合の所有者の端末アドレス６０３と、決済手段６０４と、モード６０５と、電力供給可否６０６と、充放電量６０７と、付与インセンティブ６０８が対応付けられた情報である。
【００３３】
充放電装置ＩＤ６０１は、電力マネジメント装置１００が各充放電装置を認識、区別するための識別情報である。
移動体ＩＤ６０２は、充放電装置３００に接続された移動体４００を電力マネジメント装置１００が認識、区別するための識別情報である。
決済手段６０４は、移動体の所有者に対して、付与するインセンティブの種類を示す情報であり、クレジットカード、または施設２００を利用する際に用いる施設カード（ポイントカード）などがある。クレジットカードの場合であれば、直接金銭をインセンティブとして付与することができ、ポイントカードの場合であれば、蓄積ポイントに応じた施設利用費の控除、または景品との交換のためのポイントをインセンティブとして付与することできる。
【００３４】
モード６０５は、第２のモードと第１のモードのいずれに設定されているかを示す情報である。
電力供給可否６０６は、第２のモードに設定されている場合であっても、電力の供給を許可するか否かを示す情報である。
充放電量６０７は、移動体４００が施設２００から受けた充電量、移動体４００の発電装置４１０の発電電力または蓄電装置４２０の蓄電電力を施設２００に供給した電力量を示す情報である。
【００３５】
付与インセンティブ６０８は、対応する移動体の所有者の決済手段に付与するインセンティブの値を示す情報である。
この管理テーブル６００を記憶部１３０が保持していることにより、電力マネジメント装置１００は、接続された各移動体４００についての充放電制御及びインセンティブの算出などを行うことができる。管理テーブル６００の各ラインの情報は、移動体４００が充放電装置３００に接続されるごとに、その充放電装置３００についての情報がリセットされ、新たに記録される。
＜動作＞
図７は、電力マネジメント装置１００の動作を示すフローチャートである。図７に示す処理は、充放電装置３００、１つについての、電力マネジメント装置１００の動作を示すフローチャートである。
【００３６】
図７に示す処理は、一つの充放電装置３００に移動体４００が接続されてから、接続が解除されるまでの、電力マネジメント装置１００の動作を示している。
充放電装置３００は、コネクタ３３０に移動体４００が接続されると、電力マネジメント装置１００の検知部１２１に移動体が接続されたことを示す情報を送信する。
電力マネジメント装置１００は、充放電装置３００から移動体４００の接続を通知されると（ステップＳ７０１のＹＥＳ）、その充放電装置３００に対応する管理テーブル６００の設定情報を全てクリアする（ステップＳ７０２）。
【００３７】
電力マネジメント装置１００は、受信部１２３を介して、モード選択情報を取得する（ステップＳ７０３）。
モード選択情報は、移動体４００の所有者が、第２のモードを選択したのか、第１のモードを選択したのかを示す情報である。電力マネジメント装置１００の制御部１１０は、インターフェース部１２０に対して、モード選択を要求するインターフェース画面の表示を指示する。
【００３８】
インターフェース部１２０が当該指示を受け付けると、表示制御部１２４は、充放電装置３００にモード選択にかかるインターフェース画面の表示指示を送信し、充放電装置３００は、指示されたインターフェース画面を表示画面３２０に表示する（図１０参照）。
表示画面３２０に表示されたインターフェース画面に対して、移動体４００の所有者はモードを選択する入力を行う。充放電装置３００は、入力内容に応じたモード選択情報を、電力マネジメント装置１００に送信する。
【００３９】
電力マネジメント装置１００のインターフェース部１２０の受信部１２３は、モード選択情報を受信すると、それを制御部１１０に伝達する。制御部１１０は、モード選択情報の第２のモードあるいは第１のモードであるかの内容に従って、管理テーブル６００の充放電装置３００に対応づけて記憶する。なお、上記ステップＳ７０３において、受信部１２３は、本開示の第１受信部の一例である。
【００４０】
電力マネジメント装置１００の受信部１２３は、電力供給許否情報を取得する（ステップＳ７０５）。制御部１１０は、表示制御部１２４に第２のモードが選択された場合に、移動体４００からの電力の供給をその所有者が許可するか否かを問うインターフェース画面（図１１参照）を充放電装置３００の表示画面３２０に表示させる。そして、当該画面に対する所有者の入力に従って、その許否情報を、受信部１２３を介して取得し、管理テーブル６００に記録する。電力供給許否情報は、移動体４００の所有者が、ステップＳ７０３において、第２のモードを選択した場合であって、施設２００が電力を必要としたときに、移動体４００からの電力の供給を許可するか否かを示す情報である。なお、ステップＳ７０５の処理は、ステップＳ７０３において、移動体４００の所有者が第１のモードを選択していた場合には、省略される。なお、上記ステップＳ７０５において、受信部１２３は、本開示の第２受信部の一例である。なお、本例では、受信部１２３が、本開示の第１受信部、第２受信部及び第１取得部を兼用しているが、これに限定されるものではない。つまり、第１受信部、第２受信部及び第１取得部を別々に設けてもよい。また、上記ステップＳ７０５は、ステップＳ７１５で施設２００の電力使用量が、施設の契約電力量よりも小さい閾値以上であると判定される前に予め実行されている。しかしながら、これに限定されるものではなく、上記ステップＳ７１５で、施設２００の電力使用量が、施設の契約電力量よりも小さい閾値以上であると判定された後に、実行されてもよい。
【００４１】
次に、電力マネジメント装置１００は、受付部１２５を介して移動体の所有者が指定した決済方法を受け付ける（ステップＳ７０６）。具体的には、電力マネジメント装置１００は、充放電装置３００に対して、インターフェース部１２０の表示制御部１２４を介して、表示画面３２０に、決済方法を問うインターフェース画面を表示するよう指示する（図１２参照）。
これに対して、移動体４００の所有者は、表示されたインターフェース画面の内容に従って、決済方法の選択を行う。当該選択の入力を受けると、充放電装置３００は、その情報を電力マネジメント装置１００に送信する。
【００４２】
インターフェース部１２０は、その情報を受けると、制御部１１０に伝達し、制御部１１０は、管理テーブル６００の対応する箇所に情報を記録する。
なお、ステップＳ７０６の処理は、移動体４００の所有者が、第２のモードを選択し、電力供給について拒否した場合には、省略する。
また、決済方法の指定の受付は、充放電装置３００のカードスロット３１０に挿入されたカードの情報を読み取ることで行ってもよい。
【００４３】
電力マネジメント装置１００は、充放電装置３００に対応する移動体４００について、管理テーブル６００を参照して、第１のモードであるか否かを判断する（ステップＳ７０７）。
移動体４００の電力制御について、第１のモードが設定されている場合（ステップＳ７０７のＹＥＳ）、制御部１１０は、蓄電量と第２の蓄電量とを比較する（ステップＳ７０９）。ここで、第２の蓄電量は、第１のモードに対して設定された、第２の蓄電量であり、上述の通り、移動体４００から外部（例えば、施設２００）に対して電力を供給可能と判断される蓄電装置４２０の蓄電量である。
蓄電量が第２の蓄電量以上である場合には（ステップＳ７０９のＹＥＳ）、制御部１１０は、電力使用量監視部２２０が計測する施設電力使用量を取得する。そして、取得した施設電力使用量を、施設２００の契約電力量よりも小さい閾値と比較する（ステップＳ７１０）。施設電力使用量が上記閾値よりも小さい場合にはステップＳ７１３に移る。
【００４４】
施設電力使用量が、上記閾値以上であると（ステップＳ７１０のＹＥＳ）、制御部１１０は、インターフェース部１２０に、移動体４００の電力切替部４３０の電力供給先を施設２００側に設定する指示を送信するよう指示する（ステップＳ７１１）。インターフェース部１２０は、充放電装置３００に対して、当該指示を送信し、充放電装置３００は、接続されている移動体４００の電力切替部４３０に、電力供給先を施設２００側に設定する指示を送信する。これを受けると移動体４００の電力切替部４３０は、電力の供給先を施設２００（充放電装置３００）に設定する。
【００４５】
移動体４００から一定量の電力の供給を受けた後に、制御部１１０は、移動体４００の電力切替部４３０に電力の供給先を施設２００から蓄電装置４２０に切り替えるよう、インターフェース部１２０ならびに充放電装置３００を介して、指示する（ステップＳ７１２）。
制御部１１０は、移動体４００の所有者から決済の入力または移動体４００の充放電装置３００からの接続の解除を、充放電装置３００からの決済要求または接続解除情報の受信を以て、検出する（ステップＳ７１３）。
【００４６】
決済要求または接続解除情報を受信した場合（ステップＳ７１３のＹＥＳ）、図９に示す決済処理に移る。決済要求または接続解除情報を受信していない場合（ステップＳ７１３のＮＯ）には、ステップＳ７０８に戻る。
一方、選択されているモードが、第２のモードである場合（ステップＳ７０７のＮＯ）、制御部１１０は蓄電量が第２の蓄電量以上であるか否かを判定する（ステップＳ７１４）。
【００４７】
蓄電量が第２の蓄電量以上である場合には（ステップＳ７１４のＹＥＳ）、制御部１１０は施設電力使用量が契約電力量より小さい閾値以上であるか否かを判定する（ステップＳ７１５）。蓄電量が第２の蓄電量以上でない場合には、ステップＳ７１７に移る。ここで、第２の蓄電量は、第２のモードに対して設定された、第２の蓄電量であり、上述の通り、移動体４００から外部（例えば、施設２００）に対して電力を供給可能と判断される蓄電装置４２０の蓄電量である。
施設電力使用量が閾値以上である場合には（ステップＳ７１７のＹＥＳ）、制御部１１０は、管理テーブル６００を参照して電力供給の許可があるか否かを判定する（ステップＳ７１６）。施設電力使用量が閾値以上でない場合には（ステップＳ７１５のＮＯ）、ステップＳ７１７に移る。
【００４８】
電力供給の許可がある場合には（ステップＳ７１６のＹＥＳ）、ステップＳ７１１に移り、以降の処理を実行する。即ち、電力供給の許可がある場合には、制御部１１０は、インターフェース部１２０、充放電装置３００を介して、移動体４００の電力切替部４３０に電力の供給先を施設２００側に設定するように指示する。
電力供給の許可がない場合には（ステップＳ７１６のＮＯ）、制御部１１０は、インターフェース部１２０、充放電装置３００を介して、移動体４００の電力切替部４３０に対して、発電装置４１０の発電電力の供給先を蓄電装置４２０に設定するように指示する（ステップＳ７１７）。これにより、発電装置４１０により発電された電力は、蓄電装置４２０に充電されることになる。
【００４９】
制御部１１０は、移動体４００の所有者から決済の入力または移動体４００の充放電装置３００からの接続の解除を、充放電装置３００からの決済要求または接続解除情報の受信を以て、検出する（ステップＳ７１８）。
決済要求または接続解除情報を受信した場合（ステップＳ７１８のＹＥＳ）、図９に示す決済処理に移る。決済要求または接続解除情報を受信していない場合（ステップＳ７１８のＮＯ）には、ステップＳ７１４に戻る。
【００５０】
なお、図７において、ステップＳ７０３〜Ｓ７０６は、移動体４００を制御するための初期情報の取得のための処理であり、ステップＳ７０７以降は、実際の制御処理になる。
図７に示す処理を実行することで、電力マネジメント装置１００は、移動体４００の発電装置４１０の発電電力あるいは蓄電装置４２０の蓄電電力を、施設２００の施設機器２１０に供給することができる。これにより、施設２００におけるピーク電力量の抑制に役立てることができる。
【００５１】
図８は、移動体４００の動作を示すフローチャートである。
図８に示す処理は、移動体４００が充放電装置３００に接続されてから、接続が解除されるまでの、移動体４００の動作を示している。
まず、移動体４００は、充放電装置３００とコネクタ３３０を介して、接続される（ステップＳ８０１）。コネクタ３３０は移動体４００の所有者により、そのコンセントに接続される。
【００５２】
その後、図７に示す処理を行って移動体４００の所有者により、接続された充放電装置３００もしくは所有者の携帯端末を介して、電力マネジメント装置１００に、モード及び決済方法などが設定される。
その後、移動体４００は、電力マネジメント装置１００からの指示を待つ。なお、本図８の説明においては冗長になるため詳細には記載しないが、電力マネジメント装置１００からの指示は、充放電装置３００を介して、接続されているコネクタ３３０を経由して伝達される。
【００５３】
電力マネジメント装置１００からの指示が、電力切替部４３０の蓄電側への切替指示である場合に（ステップＳ８０２のＹＥＳ）、発電装置４１０の発電電力の供給先を蓄電装置４２０に設定する（ステップＳ８０３）。
電力切替部４３０の発電制御部４３１は、蓄電装置４２０の電池セルが満蓄電になっているか否かを検出する（ステップＳ８０４）。
【００５４】
満充電になっている場合には（ステップＳ８０４のＹＥＳ）、ステップＳ８０２に戻る。
満充電になっていない場合には（ステップＳ８０４のＮＯ）、発電制御部４３１は、発電装置４１０に発電を指示し、発電装置４１０による発電電力は、電力切替部４３０を経由して、蓄電装置４２０の電池セルに充電され（ステップＳ８０５）、ステップＳ８０２に戻る。発電制御部４３１は、本開示の充電部の一例である。
【００５５】
電力マネジメント装置１００からの指示が電力切替部４３０を蓄電装置４２０に充電させるよう切替える指示ではなく、蓄電装置４２０から移動体４００の外部に供給させるよう切替える指示である場合には（ステップＳ８０２のＮＯ、ステップＳ８０６のＹＥＳ）、電力切替部４３０は、移動体４００の電力（発電装置４１０の発電電力または蓄電装置４２０の蓄電電力）の供給先を施設２００側に切り替える（ステップＳ８０７）。
そして、電力マネジメント装置１００に対して、充放電装置３００を介して、電力が供給される（ステップＳ８０８）。当該電力は、電力マネジメント装置１００から主として施設機器２１０に供給される。
【００５６】
移動体４００が充放電装置３００との接続を解除された場合には（ステップＳ８０９のＹＥＳ）、処理を終了し、そうでない場合には（ステップＳ８０９のＮＯ）、ステップＳ８０２に戻る。
図８に示すように、移動体４００は、電力マネジメント装置１００からの指示により、備えている発電装置４１０の発電電力を直接施設２００に供給することとなる。
【００５７】
図９は、電力マネジメント装置１００によるインセンティブ計算に係る動作を示すフローチャートであり、図７の処理の後に行われる処理である。
電力マネジメント装置１００の清算部１４０は、移動体４００が充放電装置３００から接続が解除されると、その移動体４００について、当該移動体４００が施設２００側に対して供給した電力量を記憶部１３０の管理テーブル６００から読み取る（ステップＳ９０１）。
【００５８】
次に、清算部１４０は、その移動体４００が施設２００から、受電した電力量を、記憶部１３０の管理テーブル６００から読み取る（ステップＳ９０２）。
清算部１４０は、ステップＳ９０１で取得した電力供給量から、ステップＳ９０２で取得した電力蓄電量を減算する（ステップＳ９０３）。
そして、清算部１４０は、ステップＳ９０３で得られた電力量に対してインセンティブを支払う。清算部１４０は、決済器がクレジットの場合には、移動体４００の所有者の口座に算出したインセンティブを振り込む処理を、通信部１５０を介して行う。清算部１４０は、決済器がポイントの場合には、移動体４００の所有者の施設カードにポイントを付与するように、充放電装置３００に指示する。充放電装置３００は、カードスロット３１０に挿入されている施設カードに指示されたポイントを追加する処理を行う。例えば、現金であれば５０円／ｋｗ、ポイントであれば２００ポイント／ｋｗのインセンティブを、移動体４００の所有者の口座、または施設カードに付与する。このとき、清算部１４０は、減算して得られる電力量が０以下になる場合には、インセンティブを支払わない。なお、清算部１４０は、本開示の支払部の一例である。
【００５９】
このようにして、清算部１４０は、インセンティブ支払処理を実行し、終了する。電力の供給を受けた場合に、電力を供給した移動体の所有者にインセンティブを支払うことにより、当該所有者の施設利用率の向上を見込むことができる。
＜インセンティブ支払の変形例＞
ここから、本実施の形態におけるインセンティブの支払い方法の変形例について説明する。
【００６０】
＜インセンティブ支払例１＞
施設２００側としては移動体４００の所有者には施設を利用してもらいたいという目論見がある。そのため、所有者が施設を利用したくなるようにインセンティブ支払を行いたい。
そこで、上記実施の形態では、任意としていた携帯端末の登録を必須としておく。ここで携帯端末は、ＧＰＳ機能など、その位置情報を出力できる機能を備えるものであるとする。
【００６１】
そして、電力マネジメント装置１００に設けられた第２取得部（図示せず）は、逐次（例えば、５分毎）、管理テーブル６００に登録される端末の位置情報を取得する。これにより、電力マネジメント装置１００は、移動体４００の所有者の位置を把握できる。記憶部１３０には、予め施設２００の敷地範囲を経緯度情報で保持しておく。そして、移動体４００から施設２００に対して電力を供給する際に、取得した端末の位置情報が施設の敷地範囲内にあるか否かを検証し、敷地範囲内にあるのであれば、通常通りインセンティブを支払い、敷地範囲内になければ、そのときの電力供給に対しては、インセンティブを支払わないこととする。なお、このインセンティブ支払は、上記に限らず、端末の位置情報が敷地範囲内にある場合のインセンティブ支払を敷地範囲外にある場合のインセンティブ支払よりも大きければ、いずれの形態であっても構わない。例えば、所有者が施設の敷地範囲内にいる場合に、その所有者に対しては、５０円／ｋｗあるいは２００ポイント／ｋｗのインセンティブを支払い、所有者が施設の敷地範囲外にいる場合に、その所有者に対しては、１０円／ｋｗあるいは５０ポイント／ｋｗのインセンティブを支払ってもよい。
【００６２】
＜インセンティブ支払例２＞
上記実施の形態においては、インセンティブの支払いは充放電量にのみ応じて、計算していた。
しかし、施設側としては、電力を供給してくれた移動体の所有者に対してより感謝の意を表する意味でより多くのインセンティブ支払を行いたい場合がある。例えば、施設で使用している電力量が急激に増加し、電力使用量が契約電力量を超えそうな場合、即ち、より早急に電力の供給を受けたい場合に移動体から電力の供給を受けた場合には、より多くのインセンティブを支払う構成としてもよい。
【００６３】
即ち、電力使用量に対して上記実施の形態においては閾値を一つしか設けていないが、複数の閾値を設け、電力使用量がその閾値のうち、どの閾値以上であるかに応じて、インセンティブの支払い量を変更する構成としてもよい。
例えば、電力使用量に対して、第１閾値、第１閾値より高い第２閾値、第２閾値より高い第３閾値を設ける。そして、電力使用量が第１閾値以上、第２閾値未満の場合に移動体が電力を供給した場合に支払うインセンティブを５０円／ｋｗ、電力使用量が第２閾値以上、第３閾値未満の場合に移動体が電力を供給した場合に支払うインセンティブを１００円／ｋｗ、電力使用量が第３閾値以上の場合に移動体が電力を供給した場合に支払うインセンティブを１５０円／ｋｗと設定して、インセンティブ計算を行うこととしてもよい。
【００６４】
即ち、より電力の供給を受けたい緊急性の高い時に電力の供給に貢献した移動体の所有者に対してはより多額の報酬を支払うこととしてもよい。
＜インセンティブ支払例３＞
上記実施の形態においては、第２のモードと第１のモードとではインセンティブ支払に差を設けてはいない。
【００６５】
しかし、施設側としては、より積極的に移動体からの電力の供給を受けられるようにしておくことで、契約電力量を超える可能性を低減できるので、移動体の所有者には積極的に第１のモードを選択して欲しいという思惑がある。
そこで、第１のモードを選択した移動体から電力の供給を受けた場合には、第２のモードを選択した移動体から電力の供給を受けた場合よりも、支払うインセンティブが高くなるように、設定してもよい。即ち、第２のモードの場合のインセンティブを４０円／ｋｗとしたとき、第１のモードの場合のインセンティブを５０円／ｋｗとしてもよい。
【００６６】
＜インセンティブ支払例４＞
上記実施の形態においては、ステップＳ９０１で取得した供給電力量からステップＳ９０２で取得した蓄電量から減算して得られる電力量の分だけにしか、インセンティブを支払わないこととしている。
しかし、これはその限りではなく、以下のようにインセンティブを支払ってもよい。
【００６７】
即ち、ステップＳ９０２で取得した蓄電量から供給した分についてはインセンティブを安くし、ステップＳ９０３で取得して得られる差分に対しては、より高いインセンティブを支払うこととしてもよい。
例えば、ステップＳ９０１で取得した供給電力量について、ステップＳ９０２で取得した蓄電電力量分までは、１０円／ｋｗあるいは５０ポイント／ｋｗとし、それを超える分については、５０円／ｋｗあるいは２００ポイント／ｋｗのインセンティブ支払う構成としてもよい。
【００６８】
つまり、仮に、供給電力量をＡｋｗとし、蓄電電力量をＢｋｗであったとする。すると、この場合に支払うインセンティブは、金銭で支払う場合には、Ｂ×１０＋（Ａ−Ｂ）×５０円分のインセンティブを支払う。
【００６９】
＜変形例＞
上記実施の形態に従って、本開示に係る電力マネジメント装置について説明してきたが、本開示はこれに限られるものではない。以下、本開示の思想として含まれる各種変形例について説明する。
【００７０】
（１）上記実施の形態においては、施設で使用している電力量が契約電力量を上回りそうな場合に、各移動体の発電装置４１０の発電電力または蓄電装置４２０の電力を施設機器２１０にそのまま供給することで、施設機器２１０の電力系統からの受電量を低下させ、ピーク電力を抑制することとした。
しかし、移動体の発電装置４１０の発電電力および蓄電装置４２０の電力を、施設機器２１０に供給するのではなく、電力系統に売電するという形態でピーク電力を抑制することとしてもよい。即ち、施設機器２１０が使用する電力は、電力系統からの供給を受け、契約電力量を上回る分については、移動体の発電装置４１０の発電電力および蓄電装置４２０の電力を電力系統に売電することで補い、見かけ上のピーク電力を抑制することとしてもよい。
【００７１】
（２）上記実施の形態においては、移動体の発電装置４１０の発電電力および蓄電装置４２０の電力は、施設において使用している電力量が契約電力量を上回りそうな場合にのみ供給することとした。しかしながら、これに限定されるものではなく、例えば、施設２００の電力使用量が契約電力量を上回りそうでなくても、蓄電装置４２０の蓄電量が満充電であるときに、移動体の発電装置４１０の発電電力を施設に供給したり、電力系統に売電したりしてもよい。また、移動体の所有者が第２のモードを選択しているとき、移動体の所有者により移動体からの電力の供給の許可が出ているか否かに拘わらず、蓄電装置４２０の蓄電量が第２の蓄電量以上であるときに、移動体の発電装置４１０の発電電力を施設に供給したり、電力系統に売電したりしてもよい。
【００７２】
（３）上記実施の形態においては、施設機器２１０の電力使用量を監視するための電力使用量監視部２２０は施設に敷設することとしているが、これは電力マネジメント装置１００内に設けることとしてもよい。また、電力マネジメント装置１００は、充放電装置３００まで含んで、電力マネジメント装置であるとしてもよい。
【００７３】
（４）上記実施の形態においては、選択したモードに応じて、自動的に第１の蓄電量および第２の蓄電量が定まるようにしていた。しかし、これは自動的ではなく、ユーザが指定することとしてもよい。
例えば、図１３あるいは図１４に示すようなインターフェース画面を表示し、その数値を入力したり、蓄電量を示すバーの一カ所を指定したりして、第１の蓄電量または第２の蓄電量を決定することとしてもよい。
【００７４】
（５）上記実施の形態においては、表示画面３２０に表示される充電選択画面を選択することによってモードを決定するようにしていた。しかし、これは単なる選択ではなく、充電優先と供給優先の比率を入力することとしてもよい。
例えば、図１４に示すようなインターフェース画面を表示し、その数値を入力したり、蓄電量を示すバーの一カ所を指定したりして、供給優先の比率が高い場合に第１のモードであるとし、充電優先の比率が高い場合に前記第２のモードであるとしてもよい。
また、このとき、入力された数値に応じて、選択されたモードの第２の蓄電量、または第１の蓄電量をその初期値から変動させてもよい。たとえば、供給６０％、充電５０％などと入力された場合には、第１のモードが選択されるが、移動体の所有者は供給する気はあるけれど、充電もできるだけ行いたいという意図が読み取れる。そのような場合、第１の蓄電量を通常よりも高めに設定するように第１の蓄電量を変動させてもよい。なお、この場合の変動は予め定められたアルゴリズムにより算出されることとする。このとき入力された％を絡ませて第１の蓄電量または第２の蓄電量を算出するのが望ましい。
【００７５】
（６）上記実施の形態においては、移動体４００は、第１のモードが選択されている場合であって、蓄電装置４２０の蓄電量が十分にあるときには、待機状態に入ることとなる。この間、移動体４００の発電制御部４３１は、発電装置４１０に発電を実行させ、その発電電力を蓄電装置に充電させてもよい。
【００７６】
（７）上記実施の形態において、図７は、一つの移動体を制御する際の電力マネジメント装置１００の動作を示している。そのため、施設２００における電力使用量が、契約電力量を超えそうな場合には、供給許可があり、蓄電量が十分にある移動体全てからの電力供給を受けることになる。
しかし、電力使用量が契約電力量以内に収まるのであれば、供給許可のある全ての移動体から電力の供給を受けずともよい。そこで、電力供給を受ける場合に、どの移動体から電力の供給を受けるか否かを選択する処理をステップＳ７１１において、切替指示を出す前に行ってもよい。そして、選択した移動体に対してのみ切替指示を出してもよい。
ここで、制御部１１０はランダムに移動体を選択することとしてもよいが、以下のような基準で電力を供給する移動体を選択すると効率的である。
【００７７】
（一）、電力マネジメント装置１００の受信部１２３より各移動体内の蓄電装置４２０の蓄電量を取得し、蓄電量の多い蓄電装置を備える移動体の上位複数台を選択する。この複数台は、予め定められた固定数であってもよいし、施設の駐車場に駐車している移動体総数に対する所定割合から求まる台数であってもよい。つまり、蓄電池装置の蓄電量の多い移動体を、蓄電装置の蓄電量の少ない移動体よりも優先して、移動体から施設に電力を供給する。受信部１２３は、本開示の第１取得部の一例である。
（二）、電力マネジメント装置１００の受信部１２３より各移動体内の蓄電装置４２０の蓄電量を取得し、蓄電量と第１の蓄電量との差分が大きい移動体の上位複数台を選択する。この複数台は、予め定められた固定数であってもよいし、施設の駐車場に駐車している移動体総数に対する所定割合から求まる台数であってもよい。つまり、蓄電池装置の蓄電量の多い移動体を、蓄電装置の蓄電量の少ない移動体よりも優先して、移動体から施設に電力を供給する。受信部１２３は、本開示の第１取得部の一例である。
（三）、第２のモードに設定している移動体よりも、第１のモードに設定している移動体を選択する。
（四）、施設２００を利用していない所有者の移動体を優先して選択する。施設２００を利用していない所有者は、上記実施の形態のインセンティブ支払例１で示した手法と同様に、その所有者の端末のＧＰＳ機能を利用して割り出す。上述のインセンティブ支払例１を用いている場合、この選択手法は施設２００にとって特に有効である。
（五）、インセンティブ支払の料金あるいはポイントを移動体の所有者側で指定できるシステムにした場合には、その料金あるいはポイントの低いものを要求した所有者の移動体から選択する。
（六）電力マネジメント装置１００が、電力系統の電力を、充放電装置３００を介して移動体４００の蓄電装置４２０に充電している移動体４００がある場合に、当該移動体４００を選択する。このとき、充電した各移動体について、それぞれの電力系統からの蓄電量の情報を保持しておき、その蓄電量分までの供給を受けるように構成してもよい。
以上のように、電力供給を実行してもらう移動体を適宜選択してもよい。
【００７８】
（８）上記実施の形態においては、電力マネジメント装置１００は、施設２００に備えることとしているが、施設２００の各施設機器の電力使用量を監視し、これらに移動体から受電した電力を供給するとともに、各充放電装置３００を制御できるのであれば、施設２００以外の場所に設けることとしてもよい。
【００７９】
（９）上記実施の形態においては、下限蓄電量は、移動体４００（例えば、移動体４００に搭載のカーナビゲーションシステムまたは移動体４００のプロセッサのＲＡＭ）が記憶していることとしているが、これは、電力マネジメント装置１００が算出してもよい。この場合、電力マネジメント装置１００は、接続された移動体４００の目的地情報と、移動体４００の単位時間当たりの電力消費量の情報とが、移動体４００の所有者あるいは移動体４００から得られればよい。
【００８０】
（１０）上記実施の形態の図７において、ステップＳ７０３〜Ｓ７０６の各情報の取得はこの順番で実行せずともよく、どのような順序で実行してもよい。
【００８１】
（１１）上記実施の形態に示したインセンティブ支払方法およびその変形例に示したインセンティブ支払方法を複数組み合わせて用いることとしてもよい。このとき、一のインセンティブ支払方法が他のインセンティブ支払方法と条件が競合する場合には、支払方法間で優先度の設定などを行って実行するとよい。
【００８２】
（１２）上記実施の形態においては、移動体４００からの電力の供給は、施設２００の電力使用量が契約電力量を超えそうなタイミングのみで実行されることとなるが、これはその限りではない。
それ以外のタイミング、例えば、施設２００の電力使用量が契約電力量を上回りそうでなくても、移動体の外部に電力を供給することとしてもよい。例えば、制御部１１０は、移動体４００の蓄電装置４２０の蓄電量が下限蓄電量以上であること、第１の蓄電量以上であること、または第２の蓄電量以上であることを条件として、移動体４００の電力切替部に電力の供給先を移動体の外部（例えば、施設）に設定するよう指示することとしてもよい。これは、第１のモード及び第２のモードのいずれを選択しているときであってもよい。
また、その供給に応じてインセンティブを支払ってもよい。また、この場合、移動体４００は施設２００を経由して電力系統に電力を売電することとしてもよい。さらに、施設２００に電力を供給する場合には、電力マネジメント装置１００は、その拒否を判断し、移動体４００に対して、電力の供給の許可あるいは拒否を実行することとしてもよい。
【００８３】
（１３）上記実施の形態においては、第２のモードが選択され、移動体４００からの電力の供給は、施設２００の電力使用量が契約電力量を超えそうなとき、移動体の所有者が電力供給を許可している場合に、移動体から外部に供給しているが、この限りでない。
第２のモードが選択され、移動体４００からの電力の供給は、施設２００の電力使用量が契約電力量を超えそうなとき、移動体の所有者の許可の有無に拘わらず、移動体から外部に供給してもよい。
【００８４】
（１４）上記実施の形態においては、発電装置４１０の発電電力の供給先は、蓄電装置４２０または施設２００のいずれかとなっているが、これはその限りではない。電力を消費する機器であれば、発電装置４１０の発電電力は、その他の機器に供給されてもよい。たとえば、移動体４００の車載機器（例えば、エアコン）に供給されてもよい。
また、更に移動体４００に所有者の携帯端末と通信する通信機能を設け、所有者の携帯端末からの指示に従って、発電装置４１０の発電電力の供給先を決定してもよく、その供給先として、蓄電装置４２０、施設２００のほか、上述のような車載機器を指定してもよい。
【００８５】
（１５）上記実施の形態においては、電力マネジメント装置１００は、電力使用量監視部２２０が監視している電力量が契約電力量を超えそうな場合に、移動体４００からの電力供給を受けることとしているが、これはその限りではない。施設２００において、予め、電力使用のピークが発生するタイミングがわかっているのであれば、その時間帯（例えば、一日の中で、午後１時~午後２時の時間帯、または図５に示すサービス時間帯など）で移動体４００からの電力供給を受けることとしてもよい。
【００８６】
（１６）上記実施の形態においては、第１のモード、または第２のモードの設定に応じて移動体４００から施設２００に電力を供給する例を記載している。このとき、モード設定の如何にかかわらず、施設２００から移動体４００に電力を供給して、移動体４００の蓄電装置４２０を充電してもよい。この電力系統から移動体４００の蓄電装置４２０の充電に際し、施設から電力系統を用いて行った各移動体に対する充電量を記憶しておく。そして、施設での電力使用量が契約電力量よりも小さい閾値以上である時に、電力マネジメント装置１００は、記憶してある各移動体の電力系統からの充電量に関する情報を参照して、移動体ごとに電力系統から充電した分を上限として施設機器２１０に電力を供給させることとしてもよい。
【００８７】
（１７）上記実施の形態の電力マネジメント装置１００の各機能部や移動体の各機能部は、その機能を実行する回路として実現されてもよいし、１又は複数のプロセッサによりプログラムを実行することで実現されてもよい。また、上記実施の形態の逆潮監視装置は、ＩＣ（Integrated Circuit）、ＬＳＩ（Large Scale Integration）その他の集積回路のパッケージとして構成されるものとしてもよい。このパッケージは各種装置に組み込まれて利用に供され、これにより各種装置は、各実施形態で示したような各機能を実現するようになる。
なお、各機能ブロックは典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）、またはＬＳＩ内部の回路セルの接続及び設定を再構成可能なリコンフィギュラブル・プロセッサを利用してもよい。
【００８８】
（１８）上述の実施形態で示した電力マネジメント装置１００による移動体４００の電力制御処理等（図７参照）を電力マネジメント装置等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
＜補足＞
以下、本実施の形態に係る電力マネジメント装置の一態様とその効果について説明する。
【００８９】
本開示の第１形態は、電力系統に接続される施設に設けられ、発電装置と蓄電装置とを備えた移動体と接続する電力マネジメント装置であって、前記発電装置の発電電力を移動体の外部に優先して供給する第１のモードと、前記発電装置の発電電力が前記蓄電装置に優先して充電される第２のモードとのいずれかのモードを選択するための指示を受け付ける第１受信部と、前記第１受信部が受信した、前記第１のモードまたは前記第２のモードのいずれかを示す指示に応じて、前記発電装置の発電電力の供給先を変更する制御部とを備える電力マネジメントシステムを提供する。
これにより、電力マネジメント装置は、発電装置を備える移動体の発電電力を施設に供給することができるので、施設運用の利便性が高まる。
【００９０】
本開示の第２形態は、上記第１形態において、前記電力マネジメント装置は、更に、前記移動体との接続を検知する検知部と、前記検知部が前記移動体の接続を検知した場合に、前記第１のモードと前記第２のモードとのいずれかのモードを選択するための指示を受け付ける画面を外部機器の表示器に表示させる表示制御部と、前記移動体に搭載された前記発電装置の発電電力の供給先を制御する発電制御部と通信する通信部とを備え、前記制御部は、前記外部機器を介して選択された前記モードに基づき、前記発電電力の供給先の指示を、前記通信部を介して前記発電制御部に送信することとしてもよい電力マネジメントシステムを提供する。
これにより、受けつけたモードに応じて、電力マネジメント装置は、移動体の発電装置の発電電力の供給先を制御できる。
【００９１】
本開示の第３形態は、上記第２形態において、前記移動体の前記蓄電装置の蓄電量を取得する第１取得部を備え、前記制御部は、前記第２のモードが選択されている前記移動体について、前記第１取得部が取得した前記蓄電装置の蓄電量が所定の閾値以上であると 、前記発電装置の発電電力の供給先を、前記施設及び前記電力系統の少なくとも一方に変更することとしてもよい電力マネジメントシステムを提供する。
これにより、第２のモード選択時であっても、移動体の外部に電力供給可能な蓄電量以上であれば、移動体の外部に適宜、電力を供給することができる。ここで、上記所定の閾値は、上記第２の蓄電量である。
【００９２】
本開示の第４形態は、上記第２形態において、前記電力マネジメント装置は、更に、前記施設が使用している電力量を検出する検出部を備え、前記制御部は、前記第２のモードが選択されている前記移動体について、前記検出部により検出された電力量が、前記施設の契約電力量よりも小さい閾値以上であると、前記発電装置の発電電力の供給先を前記施設に変更することとしてもよい電力マネジメントシステムを提供する。
これにより、電力マネジメント装置は、施設におけるピーク電力を抑制することができるので、施設の電力系統の使用料金が上がることを抑制することができる。
【００９３】
本開示の第５形態は、上記第４形態において、前記電力マネジメント装置は、更に、前記検出部により検出された電力量が、前記閾値以上であるとき前記発電装置の発電電力の前記施設への供給を許可するか否か、の指示を受け付ける第２受信部を備え、前記制御部は、前記第２受信部より前記許可の指示を受け付けている場合にのみ、前記第２のモードが選択された前記移動体について、前記検出部により検出された電力量が前記閾値以上であるとき、前記発電装置の発電電力の供給先を前記施設に変更することとしてもよい電力マネジメントシステムを提供する。
これにより、施設で電力が必要となるタイミングで、移動体の所有者の許可を得て、移動体からの電力の供給を受けることができる。
【００９４】
本開示の第６形態は、上記第４形態において、前記電力マネジメント装置は、更に、接続されている前記移動体の前記蓄電装置の電池残量を取得する第１取得部を備え、前記制御部は、複数の前記移動体が前記電力マネジメント装置に接続されているとき、前記複数の移動体のうち、前記第１取得部より取得した前記蓄電装置の蓄電量が多い前記移動体について、前記蓄電装置の蓄電量が少ない移動体よりも優先的に、前記発電装置の発電電力の供給先を前記施設に変更することとしてもよい電力マネジメントシステムを提供する。
これにより、複数の移動体が接続されている場合に、電力マネジメント装置は、電池残量の多いものから選択して電力の供給先を施設に変更するので、電池残量の少ない移動体からの電力の供給を受けたために当該移動体が目的地に達することができないというような事態を極力防ぐことができる。
【００９５】
本開示の第７形態は、上記第４形態において、前記制御部は、前記検出部により検出された電力量が、前記閾値以上であるとき、前記第２のモードが選択されている移動体について、前記電力系統から前記蓄電装置に充電された充電量の範囲内で前記蓄電装置を放電させ、当該放電電力を前記施設に供給することとしてもよい電力マネジメントシステムを提供する。
これにより、電力マネジメント装置から電力系統を用いて、移動体の蓄電装置を充電していた場合に、その充電量分だけの供給を受けて施設の運用に用いることができる。この受電量分はもとから電力マネジメント装置側から供給した電力になるので、その分の電力量を供給してもらっても、移動体の所有者に不満を抱かせにくくすることができる。
【００９６】
本開示の第８形態は、上記第１形態において、前記電力マネジメント装置は、更に、前記発電装置の発電電力が前記施設に供給されると、前記移動体の所有者に対してインセンティブを支払う支払部を備えることとしてもよい電力マネジメントシステムを提供する。
これにより、移動体の所有者は、移動体が施設に対して電力の供給を行った場合には、インセンティブを受け取ることができる。施設側としては、移動体の所有者にインセンティブを支払うことで、移動体の所有者による施設の再利用を期待することができる。
【００９７】
本開示の第９形態は、上記第８形態において、前記電力マネジメント装置は、更に、前記移動体の所有者に対してインセンティブを支払う際の決済方法の指定を受け付ける受付部を備え、前記支払部は、前記受付部で受け付けた決済方法でインセンティブを支払うこととしてもよい電力マネジメントシステムを提供する。
これにより、移動体の所有者は複数の決済方法の中から、移動体の所有者が望む形での、インセンティブを受け取ることができる。
【００９８】
本開示の第１０形態は、上記第１形態に係る電力マネジメント装置において、前記電力マネジメント装置は、更に、前記移動体の所有者の位置を取得する第２取得部を備え、前記制御部は、前記第２取得部が取得した所有者の位置に基づき、前記施設の範囲内にいる当該所有者の移動体の発電装置からの発電電力よりも、前記施設の範囲外にいる当該所有者の移動体の発電装置からの発電電力を優先的に前記施設に供給することとしてもよい電力マネジメントシステムを提供する。なお、通信部１５０が、第２取得部として機能してもよい。
これにより、施設の利用客ではない所有者の移動体から優先的に電力の供給を受けることができる。したがって、施設の利用客の移動体の電力はそれぞれの蓄電装置に残されることになるので、施設の利用客に対して移動体を用いた移動において、なるべく負担をかけないようにすることができる。
【００９９】
本開示の第１１形態は、上記第８形態において、前記電力マネジメント装置は、更に、前記移動体の所有者の位置を取得する第２取得部を備え、前記支払部は、前記第２取得部が取得した所有者の位置が前記施設の範囲外であるとき、前記第２取得部が取得した所有者の位置が前記施設の範囲内であるときよりも、前記インセンティブを減少させることとしてもよい電力マネジメントシステムを提供する。
これにより、施設の利用客に対しては、施設の利用客でない者に対してよりも、より多くのインセンティブが支払われることになるので、移動体の所有者はより施設の利用を望むようになる。
【０１００】
本開示の第１２形態は、上記第２形態において、前記第１受信部は、前記移動体の所有者により、前記外部機器を介して入力された前記移動体の前記蓄電装置の充電と放電の比率を受け付け、前記制御部は、放電の比率が高い場合に前記第１のモードであると判断し、充電の比率が高い場合に前記第２のモードであると判断することとしてもよい電力マネジメントシステムを提供する。
これにより、移動体の所有者の気分により入力した充電と放電の割合に応じて、電力マネジメント装置は、第１のモードと第２のモードの判断を行うことができる。
【０１０１】
本開示の第１３形態は、上記第１形態において、前記発電装置は、太陽光発電を利用した太陽光発電システムであることとしてもよい電力マネジメントシステムを提供する。
これにより、移動体は、発電装置として、いわゆる太陽光発電システムを利用することができる。
【０１０２】
本開示の第１４形態は、上記第１形態において、前記発電装置は、燃料電池であり、接続される前記施設からの燃料の供給を受けて発電することとしてもよい電力マネジメントシステムを提供する。
これにより、移動体は、発電装置として、いわゆる燃料電池を利用することができる。
【０１０３】
本開示の第１５形態は、上記第１形態において、前記電力マネジメント装置は、更に、前記電力系統の電力を前記通信部を介して、前記蓄電装置に供給する第１給電部を備えることとしてもよい電力マネジメントシステムを提供する。
これにより、移動体の蓄電装置は、施設に対して供給されている電力系統からも充電することができる。
【０１０４】
本開示の第１６形態は、電力系統と接続される施設に設けられ、発電装置と蓄電装置とを備えた移動体と接続する電力マネジメント装置による移動体の制御方法であって、
前記発電装置の発電電力を移動体の外部に優先して供給する第１のモードと、前記発電装置の発電電力が前記蓄電装置に優先して充電される第２のモードとのいずれかのモードを選択するための指示を受け付けるステップと、前記指示に応じて、前記発電装置の発電電力の供給先を変更するステップとを含む制御方法を提供する。
これにより、電力マネジメント装置は、発電装置を備える移動体の発電電力を施設に供給することができるので、施設運用の利便性が高まる。
【０１０５】
本開示の第１７形態は、発電装置と蓄電装置とを備えた移動体であって、電力系統と接続される施設と前記発電装置とを電気的に接続し、前記発電装置の発電電力を前記施設に供給可能にする接続部と、前記発電装置の発電電力を前記施設に供給する第２給電部と、  前記発電装置の発電電力を前記蓄電装置に充電する充電部と、前記施設からの指示に応じて、前記発電装置の発電電力の供給先を切り替える切替部とを備える移動体を提供する。
【産業上の利用可能性】
【０１０６】
本開示に係る電力マネジメント装置は、移動体の発電装置を施設に利用できるものとして、多くのユーザが自動車等の移動体を停めて利用する施設、例えば、アミューズメントパークなどに活用することができる。
【符号の説明】
【０１０７】
１００  電力マネジメント装置
１１０  制御部
１２０  インターフェース部
１３０  記憶部
１４０  清算部
１５０  通信部
２００  施設
２１０  施設機器
２２０  電力使用量監視部
３００  充放電装置
３１０  カードスロット
３２０  表示画面
３３０  コネクタ
４００  移動体
４１０  発電装置
４２０  蓄電装置
４３０  電力切替部
４３１  発電制御部
４４０  接続端子
６００  管理テーブル
【図１】
2015216836.tif 000003
【図２】
2015216836.tif 000004
【図３】
2015216836.tif 000005
【図４】
2015216836.tif 000006
【図５】
2015216836.tif 000007
【図６】
2015216836.tif 000008
【図７】
2015216836.tif 000009
【図８】
2015216836.tif 000010
【図９】
2015216836.tif 000011
【図１０】
2015216836.tif 000012
【図１１】
2015216836.tif 000013
【図１２】
2015216836.tif 000014
【図１３】
2015216836.tif 000015
【図１４】
2015216836.tif 000016